【事件の表示】
　特許第６００４５０５号に関する訂正審判事件について、次のとおり審決する。
【結　論】
　特許第６００４５０５号の明細書、特許請求の範囲を本件審判請求書に添付された訂正明細書、訂正特許請求の範囲のとおり訂正することを認める。
【理　由】
第１　手続の経緯
　本件訂正審判の請求に係る特許第６００４５０５号（以下，「本件特許」という。）は，特許法第４１条に基づく優先権主張を伴う平成２４年１１月２１日（優先日：平成２３年１２月２７日，出願番号：特願２０１１−２８６６６８号）に出願された特願２０１２−２５５７２９号の一部を平成２６年３月１３日に新たな特許出願である特願２０１４−５０１８８号として出願され，そのまた一部を平成２７年４月２８日に新たな特許出願である特願２０１５−９１１３１号として出願されたものであって，その請求項１〜２に係る発明は，平成２８年９月１６日に特許権の設定登録がなされ，平成２９年１２月２６日に訂正審判の請求がなされたものである。
　
第２　請求の趣旨
　本件訂正審判の請求は，本件特許の明細書（以下，「本件特許明細書」という。），特許請求の範囲（以下，「本件特許請求の範囲」という。）を本件審判請求書に添付した訂正明細書，訂正特許請求の範囲のとおり訂正することを認める，との審決を求めるものである。
第３　訂正の内容
１　訂正事項１
　本件特許請求の範囲の請求項１における
「前記特典付与選択手段は，前記特定の役決定結果が前記役決定手段により選出されるという特定の状態の発生を前記所定の契機とし，所定のアシスト演出開始条件が充足されてから所定の終了条件を満たすまでの期間において，前記特定の状態が発生した場合は遊技者に特典を付与可能とし，前記設定変更手段により前記役決定確率が設定変更された際には所定のアシスト演出開始条件を充足するまで，前記特定の状態が発生した場合であっても遊技者に特典を付与しないように構成されている」という記載を，
「前記特典付与選択手段は，前記特定の役決定結果が前記役決定手段により選出されるという特定の状態の発生を前記所定の契機とし，所定のアシスト演出開始条件が充足されてから所定の終了条件を満たすまでの期間において，前記特定の状態が発生した場合は遊技者に
前記
前記
２　訂正事項２
　本件特許請求の範囲の請求項２における
「前記特典付与選択手段は，前記特定の図柄組合せが停止表示されるという特定の状態の発生を前記所定の契機とし，所定のアシスト演出開始条件が充足されてから所定の終了条件を満たすまでの期間において，前記特定の状態が発生した場合は遊技者に特典を付与可能とし，前記設定変更手段により前記役決定確率が設定変更された際には所定のアシスト演出開始条件を充足するまで，前記特定の状態が発生した場合であっても遊技者に特典を付与しないように構成されている」という記載を，
「前記特典付与選択手段は，前記特定の図柄組合せが停止表示されるという特定の状態の発生を前記所定の契機とし，所定のアシスト演出開始条件が充足されてから所定の終了条件を満たすまでの期間において，前記特定の状態が発生した場合は遊技者に
前記
前記
３　訂正事項３
　本件特許明細書の【００１９】の第１段落における
「特典付与選択手段は，前記特定の役決定結果が前記役決定手段により選出されるという特定の状態の発生を前記所定の契機とし，所定のアシスト演出開始条件が充足されてから所定の終了条件を満たすまでの期間において，前記特定の状態が発生した場合は遊技者に特典を付与可能とし，設定変更手段により役決定確率が設定変更された際には所定のアシスト演出開始条件を充足するまで，前記特定の状態が発生した場合であっても遊技者に特典を付与しないように構成されている」という記載を，
「特典付与選択手段は，前記特定の役決定結果が前記役決定手段により選出されるという特定の状態の発生を前記所定の契機とし，所定のアシスト演出開始条件が充足されてから所定の終了条件を満たすまでの期間において，前記特定の状態が発生した場合は遊技者に
前記
前記
４　訂正事項４
　本件特許明細書の【００１９】の第２段落における
「特典付与選択手段は，前記特定の図柄組合せが停止表示されるという特定の状態の発生を前記所定の契機とし，所定のアシスト演出開始条件が充足されてから所定の終了条件を満たすまでの期間において，前記特定の状態が発生した場合は遊技者に特典を付与可能とし，設定変更手段により役決定確率が設定変更された際には所定のアシスト演出開始条件を充足するまで，前記特定の状態が発生した場合であっても遊技者に特典を付与しないように構成されている」という記載を，
「特典付与選択手段は，前記特定の図柄組合せが停止表示されるという特定の状態の発生を前記所定の契機とし，所定のアシスト演出開始条件が充足されてから所定の終了条件を満たすまでの期間において，前記特定の状態が発生した場合は遊技者に
前記
前記
第４　当審の判断
１　訂正事項１について
（１）訂正の目的について     　　
　訂正前の請求項１には「所定の契機により遊技者に対する
特典を
特典を
特典を
特典
特典
特典を
　訂正事項１は，上記１〜３番目の「特典を」という記載の「特典」が，同じ「特典」を意味することを明確にするための訂正であるから，特許法第１２６条第１項ただし書第３号に掲げる，明瞭でない記載の釈明に該当する。
（２）新規事項の有無，特許請求の範囲の拡張又は変更の有無について
　本件特許明細書の【０１０２】には「上記
特典付与選択手段１１３
ＲＴ２遊技状態中において
特典
アシスト可能回数の上乗せ
ＲＴ１復帰継続期間またはＲＴ２復帰継続期間においては，特有の遊技結果が得られた場合であってもアシスト可能回数上乗せ抽選は行わない
　本件特許明細書の【０３５９】には「また，上述の実施形態では，
ＡＴが設定されたＲＴ２遊技状態において
再遊技役５〜８の何れかが成立すること
アシスト可能回数上乗せ
ＡＴが設定されたＲＴ２遊技状態において
役決定結果Ａ３１〜Ａ３３の何れかがが選出されること
アシスト可能回数上乗せ
　本件特許明細書の【０２２９】には「なお，上述の「３択押し順リプレイＺ」において，押し順正解時に何れかが成立する
再遊技役５〜８の対応図柄
ＲＴ２遊技状態において役決定結果Ａ３１〜Ａ３３
　本件特許明細書の【０２４２】には「先述したように，
ＲＴ２遊技状態中
において
特典付与選択手段１１３
によりアシスト可能回数上乗せ抽選が行われる
特典
アシスト可能回数の上乗せ
上乗せされる回数が１０，２０，３０，４０，５０回の何れかの回数
　上記【０１０２】，【０２２９】，【０２４２】，【０３５９】の記載を参照すると，特典付与選択手段１１３は，ＲＴ２遊技状態において，役決定結果Ａ３１〜Ａ３３の何れかが選出される（という特定の状態の発生を所定の契機とする）ことにより，特典としてアシスト可能回数の上乗せをする点が記載されているといえる。
　このことから，上記【０１０２】及び【０２４２】の「アシスト可能回数の上乗せ」が，本件特許請求の範囲の請求項１における「特典」に対応し，
　上記【０１０２】には「特典付与選択手段１１３」が，本件特許請求の範囲の請求項１における「特典付与選択手段」に対応し，
　上記【０３５９】の「役決定結果Ａ３１〜Ａ３３の何れかがが選出されること」が，本件特許請求の範囲の請求項１における「所定の契機」に対応し，
　上記【０２２９】及び【０３５９】の「役決定結果Ａ３１〜Ａ３３」が，本件特許請求の範囲の請求項１における「所定の役決定結果」に対応し，
　上記【０３５９】の「役決定結果Ａ３１〜Ａ３３の何れかがが選出され」る状態が，本件特許請求の範囲の請求項１における「特定の状態」に対応するといえる。
　
　また，本件特許明細書の【００１９】には「予め設定された役決定確率に基づき特定の役決定結果（例えば，役決定結果Ａ３１〜Ａ３３）及び所定の役決定結果（例えば，役決定結果Ａ６〜Ａ１７）を含む複数の役決定結果（例えば，役決定結果Ａ１〜Ａ３８）の中から少なくとも１つの役決定結果を選出可能である役決定手段」と記載され，
　本件特許明細書の【００７４】には「役決定手段１０１」と記載されている。
　上記【００１９】及び【００７４】の記載を参照すると，役決定結果Ａ３１〜Ａ３３が役決定手段１０１により選出される点が記載されているといえる。
　このことから，上記【００７４】「役決定手段１０１」が，本件特許請求の範囲の請求項１における「役決定手段」に対応するといえる。
　そして，本件特許明細書の【０２３４】には「役決定により上述の役決定結果Ａ４（図１２参照）が選出されること（以下，適宜「スイカ当選」と称する）を契機として，上記ナビ権設定選択手段１１１１（図６参照）によりナビ権設定抽選が行われる。・・・このナビ権設定抽選において「当り」の抽選結果が得られた場合には，
ナビ権設定選択手段１１１１によりナビ権が設定され
　本件特許明細書の【０２３８】には「上記ナビ権設定抽選の結果，
ナビ権が設定された場合に
　本件特許明細書の【０２３９】には「
規定遊技回数が決定され
規定遊技回数が決定された後
カウントされた実行遊技回数が規定遊技回数に達するとＡＴが設定され
　本件特許明細書の【０２４０】には「
ＡＴが設定された状態において，通常遊技状態からＲＴ１遊技状態へ移行すると
アシスト可能回数が設定
押し順ナビ演出
を行うことが可能
　本件特許明細書の【０２４１】には「すなわち，ＲＴ１遊技状態に移行する前にストックされたナビ権の数（ナビ権ストック数）に５０（他の数値としてもよい）を乗じて得られた数値を，アシスト可能回数の初期値に設定する（例えば，ナビ権ストック数が２の場合は，１００となる）。また，初期値が設定されたアシスト可能回数は，ＲＴ１遊技状態またはＲＴ２遊技状態において，押し順ナビ演出が行われたか否かに関係なく，遊技が行われる毎に１つずつ減少するように管理される。なお，
設定されたＡＴは，上記アシスト可能回数が０となった場合，またはＲＴ１遊技状態から通常遊技状態またはＢＢ遊技状態への移行条件
が満足されてＲＴ１遊技状態が終了した場合に終了する
　上記【０２３４】，【０２３８】〜【０２４１】の記載の記載だけでなく，既に検討した上記【０２２９】，【０２４２】，【０３５９】の記載を参照すると，ナビ権設定選択手段１１１１によりナビ権が設定され，カウントされた実行遊技回数が規定遊技回数に達するとＡＴが設定され，ＲＴ１遊技状態に移行してアシスト可能回数が設定されて押し順ナビ演出を行うことが可能になってから，アシスト可能回数が０となるまで，またはＲＴ１遊技状態から通常遊技状態またはＢＢ遊技状態への移行条件が満足されてＲＴ１遊技状態が終了してＡＴが終了するまでの期間において，ＲＴ１遊技状態から移行したＲＴ２遊技状態に，役決定結果Ａ３１〜Ａ３３の何れかが選出されるという特定の状態の発生した場合に，特典としてアシスト可能回数の上乗せをする点が記載されているといえる。
　このことから，上記【０２３４】，【０２３８】〜【０２４０】のナビ権設定選択手段１１１１によりナビ権が設定され，カウントされた実行遊技回数が規定遊技回数に達するとＡＴが設定され，ＲＴ１遊技状態に移行して押し順ナビ演出を行うことが可能になることが，本件特許請求の範囲の請求項１における「所定のアシスト演出開始条件が充足されてから所定の終了条件を満たすまでの期間において」という記載の「所定のアシスト演出開始条件」（以下，「２番目の「所定のアシスト演出開始条件」の記載」という。）に対応し，
　上記【０２４１】の「アシスト可能回数が０となった」こと，「ＲＴ１遊技状態から通常遊技状態またはＢＢ遊技状態への移行条件」「が満足されてＲＴ１遊技状態が終了した」ことが，本件特許請求の範囲の請求項１における「所定の終了条件」に対応するといえる。
　
　さらに，本件特許明細書の【００７６】には「上記
設定変更手段１０３
　本件特許明細書の【００９３】には「ただし，上記
設定変更手段１０３
による設定変更後に
ＲＴ１遊技状態に復帰され，かつ後述の通常遊技状態に移行されるまでの期間
ＲＴ１復帰継続期間
ナビ権設定選択手段１１１１によりナビ権が設定され
規定遊技回数が
設定され
通常遊技状態に移行してからカウントを開始された実行遊技回数が規定遊技回数に達すると
ＡＴが設定され
押し順ナビ演出
の実行が許可される
　本件特許明細書の【００９４】には「同様に，
設定変更後に後述のＲＴ２遊技状態に復帰され，かつ通常遊技状態に移行されるまでの期間
ＲＴ２復帰継続期間
ナビ権設定選択手段１１１１によりナビ権が設定され
規定遊技回数が
設定され
通常遊技状態に移行してからカウントを開始された実行遊技回数が規定遊技回数に達すると
ＡＴが設定され
押し順ナビ演出
の実行が許可される
　上記【００７６】，【００９３】〜【００９４】の記載の記載だけでなく，既に検討した上記【０１０２】，【０２４０】，【０３５９】の記載を参照すると，設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）においては，ナビ権設定選択手段１１１１によりナビ権が設定され，通常遊技状態に移行してからカウントされた実行遊技回数が規定遊技回数に達するとＡＴが設定され，ＲＴ１遊技状態に移行して押し順ナビ演出を行うことが可能になり，ＲＴ２に移行するまで，役決定結果Ａ３１〜Ａ３３の何れかがが選出されてもアシスト可能回数上乗せは行わない点が記載されているといえる。
　このことから，上記【００７６】及び【００９３】の「設定変更手段１０３」が，本件特許請求の範囲の請求項１における「設定変更手段」に対応し，
　上記【００９３】〜【００９４】，【０１０２】，【０２４０】の設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）においては，ナビ権設定選択手段１１１１によりナビ権が設定され，通常遊技状態に移行してからカウントされた実行遊技回数が規定遊技回数に達するとＡＴが設定され，ＲＴ１遊技状態に移行して押し順ナビ演出を行うことが可能になることが，本件特許請求の範囲の請求項１における「所定のアシスト演出開始条件を充足するまで」という記載の「所定のアシスト演出開始条件」（以下，「３番目の「所定のアシスト演出開始条件」の記載」という。）に対応し，
　上記【００９３】〜【００９４】，【０１０２】，【０３５９】の（通常遊技状態に移行されるまでの期間（ＲＴ１復帰継続期間，又は，ＲＴ２復帰継続期間）においては，）役決定結果Ａ３１〜Ａ３３の何れかがが選出されてもアシスト可能回数上乗せは行わないことが，本件特許請求の範囲の請求項１における「特定の状態が発生した場合であっても遊技者に
前記
　ここで，本件特許請求の範囲の請求項１における２〜３番目の「所定のアシスト演出開始条件」の記載に対応する内容について検討する。
　３番目の「所定のアシスト演出開始条件」の記載に対応する内容は，２番目の「所定のアシスト演出開始条件」の記載に対応する内容と，「設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）」であることを前提としている点，実行遊技回数をカウントするのが「通常遊技状態に移行してから」であることを含む点で異なる。
　しかしながら，２〜３番目の「所定のアシスト演出開始条件」は，共に「ナビ権設定選択手段１１１１によりナビ権が設定され，」「カウントされた実行遊技回数が規定遊技回数に達するとＡＴが設定され，ＲＴ１遊技状態に移行して押し順ナビ演出を行うことが可能になること」である点で共通すると共に，２〜３番目の「所定のアシスト演出開始条件」の記載の前には「前記」等の記載はなく，２番目と３番目の「所定のアシスト演出開始条件」の内容が同じである必要はないから，２〜３番目の「所定のアシスト演出開始条件」の記載は，本件特許明細書の記載に基づく記載である。
　これらのことから，本件特許の願書に添付した特許請求の範囲，明細書及び図面（以下，「本件特許明細書等」という。）には，「所定の遊技状態変更条件が充足されたことを契機として，複数の遊技状態の間で遊技状態を移行させる遊技状態制御手段」「を備え，」「前記特典付与選択手段は，前記特定の役決定結果が前記役決定手段により選出されるという特定の状態の発生を前記所定の契機とし，所定のアシスト演出開始条件が充足されてから所定の終了条件を満たすまでの期間において，前記特定の状態が発生した場合は遊技者に
前記
前記
　以上のことから，訂正事項１は，本件特許明細書の【００１９】，【００７４】，【００７６】，【００９３】〜【００９４】，【０１０２】，【０２２９】，【０２３４】，【０２３８】〜【０２４２】，【０３５９】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項１は，訂正の前後で特許請求の範囲に記載された発明の拡張又は変更はないから，実質上特許請求の範囲を拡張し，又は変更するものでもない。
　したがって，訂正事項１は，特許法第１２６条第５項及び第６項の規定に適合する。
２　訂正事項２について
（１）訂正の目的について
　訂正前の請求項２には「所定の契機により遊技者に対する
特典を
特典を
特典を
特典
特典
特典を
　訂正事項２は，上記４〜６番目の「特典を」という記載の「特典」が，同じ「特典」を意味することを明確にするための訂正であるから，特許法第１２６条第１項ただし書第３号に掲げる，明瞭でない記載の釈明に該当する。
（２）新規事項の有無，特許請求の範囲の拡張又は変更の有無について
　上記１（２）に摘記された本件特許明細書の上記【０１０２】，【０２２９】，【０２４２】の記載を参照すると，特典付与選択手段１１３は，ＲＴ２遊技状態において，再遊技役５〜８の対応図柄が停止表示される（という特定の状態の発生を所定の契機とする）ことにより，特典としてアシスト可能回数の上乗せをする点が記載されているといえる。
　このことから，上記【０１０２】及び【０２４２】の「アシスト可能回数の上乗せ」が，本件特許請求の範囲の請求項２における「特典」に対応し，
　上記【０１０２】には「特典付与選択手段１１３」が，本件特許請求の範囲の請求項２における「特典付与選択手段」に対応し，
　上記【０２２９】の「再遊技役５〜８の対応図柄が停止表示される」ことが，本件特許請求の範囲の請求項２における「所定の契機」に対応し，
　上記【０２２９】の「再遊技役５〜８の対応図柄」が，本件特許請求の範囲の請求項２における「特定の図柄組合せ」に対応し，
　上記【０２２９】の「再遊技役５〜８の対応図柄が停止表示される」状態が，本件特許請求の範囲の請求項２における「特定の状態」に対応するといえる。
　そして，上記１（２）に摘記された本件特許明細書の上記【０２３４】，【０２３８】〜【０２４１】の記載の記載だけでなく，既に検討した上記【０２２９】及び【０２４２】の記載を参照すると，ナビ権設定選択手段１１１１によりナビ権が設定され，カウントされた実行遊技回数が規定遊技回数に達するとＡＴが設定され，ＲＴ１遊技状態に移行してアシスト可能回数が設定されて押し順ナビ演出を行うことが可能になってから，アシスト可能回数が０となるまで，またはＲＴ１遊技状態から通常遊技状態またはＢＢ遊技状態への移行条件が満足されてＲＴ１遊技状態が終了してＡＴが終了するまでの期間において，ＲＴ１遊技状態から移行したＲＴ２遊技状態において，再遊技役５〜８の対応図柄が停止表示されるという特定の状態の発生した場合に，特典としてアシスト可能回数の上乗せをする点が記載されているといえる。
　このことから，上記【０２３４】，【０２３８】〜【０２４０】のナビ権設定選択手段１１１１によりナビ権が設定され，カウントされた実行遊技回数が規定遊技回数に達するとＡＴが設定され，ＲＴ１遊技状態に移行して押し順ナビ演出を行うことが可能になることが，本件特許請求の範囲の請求項２における「所定のアシスト演出開始条件が充足されてから所定の終了条件を満たすまでの期間において」という記載の「所定のアシスト演出開始条件」（以下，「５番目の「所定のアシスト演出開始条件」の記載」という。）に対応し，
　上記【０２４１】の「アシスト可能回数が０となった」こと，「ＲＴ１遊技状態から通常遊技状態またはＢＢ遊技状態への移行条件」「が満足されてＲＴ１遊技状態が終了した」ことが，本件特許請求の範囲の請求項２における「所定の終了条件」に対応するといえる。
　
　さらに，上記１（２）に摘記された本件特許明細書の上記【００７６】，【００９３】〜【００９４】の記載の記載だけでなく，既に検討した上記【０１０２】，【０２４０】の記載を参照すると，設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）においては，ナビ権設定選択手段１１１１によりナビ権が設定され，通常遊技状態に移行してからカウントされた実行遊技回数が規定遊技回数に達するとＡＴが設定され，ＲＴ１遊技状態に移行して押し順ナビ演出を行うことが可能になることが可能になり、ＲＴ２に移行するまで，再遊技役５〜８の対応図柄が停止表示されてもアシスト可能回数上乗せは行わない点が記載されているといえる。
　このことから，上記【００７６】及び【００９３】の「設定変更手段１０３」が，本件特許請求の範囲の請求項２における「設定変更手段」に対応し，
　上記【００９３】〜【００９４】，【０１０２】，【０２４０】の設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）においては，ナビ権設定選択手段１１１１によりナビ権が設定され，通常遊技状態に移行してからカウントされた実行遊技回数が規定遊技回数に達するとＡＴが設定され，ＲＴ１遊技状態に移行して押し順ナビ演出を行うことが可能になることが，本件特許請求の範囲の請求項１における「所定のアシスト演出開始条件を充足するまで」という記載の「所定のアシスト演出開始条件」（以下，「６番目の「所定のアシスト演出開始条件」の記載」という。）に対応し，
　上記【００９３】〜【００９４】，【０１０２】の（通常遊技状態に移行されるまでの期間（ＲＴ１復帰継続期間，又は，ＲＴ２復帰継続期間）においては，）再遊技役５〜８の対応図柄が停止表示されてもアシスト可能回数上乗せは行わないことが，本件特許請求の範囲の請求項２における「特定の状態が発生した場合であっても遊技者に前記特典を付与しない」ことに対応するといえる。
　ここで，本件特許請求の範囲の請求項２における５〜６番目の「所定のアシスト演出開始条件」の記載に対応する内容について検討する。
　６番目の「所定のアシスト演出開始条件」の記載に対応する内容は，５番目の「所定のアシスト演出開始条件」の記載に対応する内容と，「設定変更手段１０３による設定変更後にＲＴ１又はＲＴ２遊技状態に復帰され，かつ通常遊技状態に移行されるまでの期間（ＲＴ１復帰継続期間，又は，ＲＴ２復帰継続期間）」であることを前提としている点，実行遊技回数をカウントするのが「通常遊技状態に移行してから」であることを含む点で異なる。
　しかしながら，５〜６番目の「所定のアシスト演出開始条件」は，共に「ナビ権設定選択手段１１１１によりナビ権が設定され，」「カウントされた実行遊技回数が規定遊技回数に達するとＡＴが設定され，ＲＴ１遊技状態に移行して押し順ナビ演出を行うことが可能になること」である点で共通すると共に，５〜６番目の「所定のアシスト演出開始条件」の記載の前には「前記」等の記載はなく，５番目と６番目の「所定のアシスト演出開始条件」の内容が同じである必要はないから，５〜６番目の「所定のアシスト演出開始条件」の記載は，本件特許明細書の記載に基づく記載である。
　これらのことから，本件特許明細書等には，「所定の遊技状態変更条件が充足されたことを契機として，複数の遊技状態の間で遊技状態を移行させる遊技状態制御手段」「を備え，」「前記特典付与選択手段は，前記特定の図柄組合せが停止表示されるという特定の状態の発生を前記所定の契機とし，所定のアシスト演出開始条件が充足されてから所定の終了条件を満たすまでの期間において，前記特定の状態が発生した場合は遊技者に
前記
前記
　以上のことから，訂正事項２は，本件特許明細書の【００７６】，【００９３】〜【００９４】，【０１０２】，【０２２９】，【０２３４】，【０２３８】〜【０２４２】の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項２は，訂正の前後で特許請求の範囲に記載された発明の拡張又は変更はないから，実質上特許請求の範囲を拡張し，又は変更するものでもない。
　したがって，訂正事項２は，特許法第１２６条第５項及び第６項の規定に適合する。
３　訂正事項３〜４について
（１）訂正の目的について
　訂正事項３〜４は，本件特許明細書の段落【００１９】の記載を，上記第３「１　訂正事項１」〜「２　訂正事項２」による訂正後の記載に整合させるものであるから，特許法第１２６条第１項ただし書第３号に掲げる，明瞭でない記載の釈明を目的とする訂正に該当する。
　
（２）新規事項の有無，特許請求の範囲の拡張又は変更の有無について
　訂正事項３〜４は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項３〜４は，訂正の前後で特許請求の範囲に記載された発明の拡張又は変更はないから，実質上特許請求の範囲を拡張し，又は変更するものでもない。
　したがって，訂正事項３〜４は，特許法第１２６条第５項及び第６項の規定に適合する。
第５　むすび 
　したがって，本件訂正審判の請求は，特許法第１２６条第１項ただし書第３号に掲げる事項を目的とし，かつ，同条第５項及び第６項の規定に適合する。
　
　よって，結論のとおり審決する。